(57)【要約】      （修正有）【課題】被加工物品を常温領域とフリーザ領域との間で移載することなく連続して搬送し、保守メンテナンス時に合成樹脂製コンベヤベルトのベルト張力をコンベヤフレームを改造することなく簡便に設定するとともにフリーザ領域の温度変化に伴う合成樹脂製コンベヤベルトのベルト伸縮変動を簡便に調整することが可能なフリーザ仕様コンベヤ装置を提供すること。【解決手段】被加工物品Ｍを常温領域ＮＡとフリーザ領域ＦＡとの間で連続して搬送する合成樹脂製コンベヤベルト１１０と常温領域ＮＡに配置して合成樹脂製コンベヤベルト１１０を循環走行させる駆動軸１２０と従動軸１３０とを備え、合成樹脂製コンベヤベルト１１０のベルト伸縮を調整するベルト伸縮調整手段１４０が従動軸１３０を支点として揺動自在に設けられているフリーザ仕様コンベヤ装置１００。【選択図】図１
2011111281.tif 000002
【特許請求の範囲】
【請求項１】
被加工物品を常温領域とフリーザ領域との間で連続して搬送する合成樹脂製コンベヤベルトと前記常温領域に配置して合成樹脂製コンベヤベルトを循環走行させる駆動軸と従動軸とを備えたフリーザ仕様コンベヤ装置において、
前記合成樹脂製コンベヤベルトのベルト伸縮変動を調整するベルト伸縮調整手段が、前記駆動軸及び従動軸の少なくとも一方を支点として揺動自在に設けられていることを特徴とするフリーザ仕様コンベヤ装置。
【請求項２】
前記ベルト伸縮調整手段が、前記駆動軸及び従動軸の少なくとも一方の両端に揺動自在に軸支した左右一対の支持アームと該左右一対の支持アームの先端に両端支持した架設状態の支持軸と該支持軸に回転自在に取り付けられて合成樹脂製コンベヤベルトの内周面を押圧負荷する少なくとも１つ以上のベルト押圧用フリーローラとで構成されていることを特徴とする請求項１に記載のフリーザ仕様コンベヤ装置。
【請求項３】
前記ベルト押圧用フリーローラが、前記支持軸に抱持状態で取り付ける二分割可能なローラ部材から構成されていることを特徴とする請求項２に記載のフリーザ仕様コンベヤ装置。
【請求項４】
前記合成樹脂製コンベヤベルトの伸縮変動を可変調整する重錘が、前記左右一対の支持アームに着脱自在に取り付けられていることを特徴とする請求項２または請求項３に記載のフリーザ仕様コンベヤ装置。
【請求項５】
前記合成樹脂製コンベヤベルトの伸縮変動を可変調整する重錘が、前記支持軸の軸端に着脱自在に取り付けられていることを特徴とする請求項２または請求項３に記載のフリーザ仕様コンベヤ装置。
【発明の詳細な説明】
【技術分野】
【０００１】
本発明は、搬送物を合成樹脂製コンベヤベルトを用いて搬送するコンベヤ装置に関するものであって、特に、食品、薬品、検査品などの被加工物品を常温領域とフリーザ領域との間で連続して搬送するフリーザ仕様コンベヤ装置に関するものである。
【背景技術】
【０００２】
従来、食品、薬品などの加工分野において、被加工物品からなる搬送物を合成樹脂製コンベヤベルト上に載置した状態で搬送しながら様々な加工を施すことが行われている。
【０００３】
このような従来の食品、薬品などの加工分野において用いられる合成樹脂製コンベヤベルトとして、例えば、合成樹脂製リンクプレートの後方端縁に沿って配置された複数のブシュ孔と前記リンクプレートに隣接される合成樹脂製リンクプレートの前方端縁に沿って配置された複数のピン孔と、ブシュ孔とピン孔を交互に挿通する連結ピンとでヒンジ連結し、連結ピンがピン長手方向の片側寄りの位置に抜け留め用凸部を備え、前記連結ピンがピン長手方向の片側端面に鍔状ストッパーを備え、前記合成樹脂製リンクプレートの側壁に鍔状ストッパーを格納する窪み部を設けたものが採用されている。
【先行技術文献】
【特許文献】
【０００４】
【特許文献１】特開平１１−３３４８３４号公報（第１頁、図３）
【発明の概要】
【発明が解決しようとする課題】
【０００５】
前述したような従来の合成樹脂製コンベヤベルトを食品、薬品、検査品などの被加工物品を常温領域とフリーザ領域との間で連続して搬送するフリーザ仕様コンベヤ装置に採用する場合、合成樹脂製コンベヤベルトは、組みつけ施工の際に常温下でフリーザ仕様コンベヤ装置に組みつけ施工したり、保守メンテナンスの際に常温下で取り外し取り付け作業を実施するため、実際の加工搬送時にフリーザ領域において合成樹脂製コンベヤベルトが例えばマイナス７０度程度に冷却されると過度に収縮し、合成樹脂製コンベヤベルトを駆動させる駆動スプロケットや従動スプロケットの異常噛み合いや過度のベルト張力などを生じ、噛み合い騒音を発生させたり、合成樹脂製コンベヤベルト、駆動スプロケット、従動スプロケットなどに異常な磨損を発生させたりする虞れがあるという問題があった。
【０００６】
特に、食品、薬品、検査品などの被加工物品に応じてフリーザ領域における冷却温度を変更しなければならない加工雰囲気下にあっては、合成樹脂製コンベヤベルトのベルト伸縮変動を調整することが困難であるため、様々な被加工物品の加工条件に適合できないという汎用上の問題があった。
また、従来のフリーザ仕様コンベヤ装置では、合成樹脂製コンベヤベルトが様々な被加工物品の加工条件に適合できないため、常温領域とフリーザ領域との間で被加工物品を相互に異なる合成樹脂製コンベヤベルトに移し替えて搬送しなければならず、搬送稼動率が悪化するという被加工物品の取り扱い上の厄介な問題があった。
【０００７】
そこで、本発明は、従来の問題を解決するものであって、すなわち、本発明の目的は、被加工物品を常温領域とフリーザ領域との間で移載することなく連続して搬送し、保守メンテナンス時に合成樹脂製コンベヤベルトのベルト張力をコンベヤフレームを改造することなく簡便に設定するとともにフリーザ領域の温度変化に伴う合成樹脂製コンベヤベルトのベルト伸縮変動を簡便に調整することが可能なフリーザ仕様コンベヤ装置を提供することである。
【課題を解決するための手段】
【０００８】
請求項１に係る本発明は、被加工物品を常温領域とフリーザ領域との間で連続して搬送する合成樹脂製コンベヤベルトと前記常温領域に配置して合成樹脂製コンベヤベルトを循環走行させる駆動軸と従動軸とを備えたフリーザ仕様コンベヤ装置において、前記合成樹脂製コンベヤベルトのベルト伸縮変動を調整するベルト伸縮調整手段が、前記駆動軸及び従動軸の少なくとも一方を支点として揺動自在に設けられていることにより、前述したような課題を解決したものである。
【０００９】
請求項２に係る本発明は、請求項１に係る発明の構成に加えて、前記ベルト伸縮調整手段が、前記駆動軸及び従動軸の少なくとも一方の両端に揺動自在に軸支した左右一対の支持アームと該左右一対の支持アームの先端に両端支持した架設状態の支持軸と該支持軸に回転自在に取り付けられて合成樹脂製コンベヤベルトの内周面を押圧負荷する少なくとも１つ以上のベルト押圧用フリーローラとで構成されていることにより、前述したような課題をさらに解決したものである。
【００１０】
請求項３に係る本発明は、請求項２に係る発明の構成に加えて、前記ベルト押圧用フリーローラが、前記支持軸に抱持状態で取り付ける二分割可能なローラ部材から構成されていることにより、前述したような課題をさらに解決したものである。
【００１１】
請求項４に係る本発明は、請求項２または請求項３に係る発明の構成に加えて、前記合成樹脂製コンベヤベルトの伸縮変動を可変調整する重錘が、前記左右一対の支持アームに着脱自在に取り付けられていることにより、前述したような課題をさらに解決したものである。
【００１２】
請求項５に係る本発明は、請求項２または請求項３に係る発明の構成に加えて、前記合成樹脂製コンベヤベルトの伸縮変動を可変調整する重錘が、前記支持軸の軸端に着脱自在に取り付けられていることにより、前述したような課題をさらに解決したものである。
【発明の効果】
【００１３】
そこで、本発明のフリーザ仕様コンベヤ装置は、被加工物品を常温領域とフリーザ領域との間で連続して搬送する合成樹脂製コンベヤベルトと前記常温領域に配置して合成樹脂製コンベヤベルトを循環走行させる駆動軸と従動軸とを備えていることにより、被加工物品を常温領域とフリーザ領域との間で移載することなく連続して搬送することができるばかりでなく、以下のような本発明に特有の効果を奏することができる。
【００１４】
すなわち、請求項１に係る本発明のフリーザ仕様コンベヤ装置は、合成樹脂製コンベヤベルトのベルト伸縮を調整するベルト伸縮調整手段が設けられていることにより、合成樹脂製コンベヤベルトを駆動させる駆動軸の駆動スプロケットや従動軸の従動スプロケットなどの円滑な噛み合いと安定したベルト張力が確保されるため、従来のように被加工物品を常温領域の合成樹脂製コンベヤベルトからフリーザ領域の合成樹脂製コンベヤベルトに移し替えて搬送する必要もなく、搬送加工を常温領域とフリーザ領域との間で連続して実現できるとともに、優れた耐久性を発揮することができる。
【００１５】
そして、合成樹脂製コンベヤベルトのベルト伸縮を調整するベルト伸縮調整手段が駆動軸及び従動軸の少なくとも一方を支点として揺動自在に設けられていることにより、駆動軸及び従動軸を配置した常温領域において合成樹脂製コンベヤベルトのベルト伸縮変動を調整することが可能となるため、合成樹脂製コンベヤベルトを保守メンテナンスする際に装置全体をメンテナンス作業の容易な常温に戻したり、メンテナンス作業の苛酷なフリーザ領域で実施する必要がなく、簡便に達成することができる。
【００１６】
請求項２に係る本発明のフリーザ仕様コンベヤ装置によれば、請求項１に係る発明が奏する効果に加えて、ベルト伸縮調整手段が、駆動軸及び従動軸の少なくとも一方の両端に揺動自在に軸支した左右一対の支持アームとこれら左右一対の支持アームの先端に両端支持した架設状態の支持軸とこの支持軸に回転自在に取り付けられて合成樹脂製コンベヤベルトの内周面を押圧負荷する少なくとも１つ以上のベルト押圧用フリーローラとで構成されていることにより、左右一対の支持アームと支持軸とベルト押圧用フリーローラとの総重量が合成樹脂製コンベヤベルトのデッドスペースを構成する内周面に押圧負荷されるため、従来のコンベヤ装置に付設されるテイクアップ手段のような複雑な装置構成やコンベヤ幅方向の余計な設置スペースを必要とすることなく、合成樹脂製コンベヤベルトの伸縮変動をフリーザ領域の冷却温度に応じて簡便な機構により調整することができる。
【００１７】
請求項３に係る本発明のフリーザ仕様コンベヤ装置によれば、請求項２に係る発明が奏する効果に加えて、ベルト押圧用フリーローラが支持軸に抱持状態で取り付ける二分割可能なローラ部材から構成されていることにより、保守メンテナンス時などに少なくとも１つ以上のベルト押圧用フリーローラを支持軸に対して抜き差しせずに取り付けることが可能になるため、ベルト押圧用フリーローラの簡便な取り外しにより合成樹脂製コンベヤベルトの伸縮変動を可変自在に調整することができる。
【００１８】
請求項４に係る本発明のフリーザ仕様コンベヤ装置によれば、請求項２または請求項３に係る発明が奏する効果に加えて、合成樹脂製コンベヤベルトの伸縮変動を可変調整する重錘が左右一対の支持アームに着脱自在に取り付けられていることにより、重錘の増加分だけ増大させた支持アームの回動モーメントが常温領域において合成樹脂製コンベヤベルトの内周面を押圧負荷されるため、合成樹脂製コンベヤベルトのベルト伸縮変動を調整する際の保守メンテナンスをコンベヤフレームをコンベヤ幅方向に拡幅するなどの格別の改造を要することなく簡便に達成するとともに、常温領域においてフリーザ領域の冷却温度に応じたベルト張力に簡便かつ自在に設定することができる。
【００１９】
請求項５に係る本発明のフリーザ仕様コンベヤ装置によれば、請求項２または請求項３に係る発明が奏する効果に加えて、合成樹脂製コンベヤベルトの伸縮変動を可変調整する重錘が支持軸の軸端に着脱自在に取り付けられていることにより、重錘の増加分を最大限に増大させた支持アームの回動モーメントが常温領域において合成樹脂製コンベヤベルトの内周面を押圧負荷されるため、合成樹脂製コンベヤベルトのベルト伸縮変動を調整する際の保守メンテナンスをコンベヤフレームをコンベヤ幅方向に拡幅するなどの格別の改造を要することなく簡便に達成するとともに、常温領域においてフリーザ領域の冷却温度に応じたベルト張力に簡便かつ自在に設定することができる。
【図面の簡単な説明】
【００２０】
【図１】本発明の第１実施例であるフリーザ仕様コンベヤ装置の概略図。
【図２】図１に示すベルト伸縮調整手段の拡大図。
【図３】合成樹脂製コンベヤベルトの内周側から見たベルト伸縮調整手段の構成図。
【図４】図１に示すフリーザ仕様コンベヤ装置の保守メンテナンス時の概略図。
【図５】本発明の第２実施例で用いたベルト伸縮調整手段の説明図。
【図６】本発明の第３実施例で用いたベルト伸縮調整手段の説明図。
【発明を実施するための形態】
【００２１】
本発明は、被加工物品を常温領域とフリーザ領域との間で連続して搬送する合成樹脂製コンベヤベルトと常温領域に配置して合成樹脂製コンベヤベルトを循環走行させる駆動軸と従動軸とを備えたフリーザ仕様コンベヤ装置において、合成樹脂製コンベヤベルトのベルト伸縮変動を調整するベルト伸縮調整手段が駆動軸及び従動軸の少なくとも一方を支点として揺動自在に設けられ、被加工物品を常温領域とフリーザ領域との間で移載することなく連続して搬送し、保守メンテナンス時に合成樹脂製コンベヤベルトのベルト張力をコンベヤフレームを改造することなく簡便に設定するとともにフリーザ領域の温度変化に伴う合成樹脂製コンベヤベルトのベルト伸縮変動を簡便に調整するものであれば、その具体的な態様は、如何なるものであっても構わない。
【００２２】
すなわち、本発明のフリーザ仕様コンベヤ装置は、被加工物品を合成樹脂製コンベヤベルトを用いて搬送するものであって、特に、常温領域とフリーザ領域との間で連続して搬送する必要がある食品、薬品、検査品などの被加工物品が対象である。
【００２３】
そして、本発明のフリーザ仕様コンベヤ装置に用いる合成樹脂製コンベヤベルトの具体的なベルト形態については、駆動軸に取り付けられたリターンローラと従動軸に取り付けられたリターンローラとの間に掛け回されて被加工物品を載置状態で搬送するものであれば良く、例えば、特開平１１−３３４８３４号公報などにおいて公知の合成樹脂製コンベヤベルトであっても何ら差し支えない。
【００２４】
また、本発明に採用するベルト伸縮調整手段の具体的な形態については、駆動軸及び従動軸の少なくとも一方のスプロケット軸を支点として揺動自在に設けられてベルト伸縮変動を調整するものであれば良く、具体的には、駆動軸及び従動軸の少なくとも一方の両端に揺動自在に軸支した左右一対の支持アームとこれら左右一対の支持アームの先端に両端支持した架設状態の支持軸とこの支持軸に回転自在に取り付けられて合成樹脂製コンベヤベルトの内周面を増減自在に押圧負荷する少なくとも１つ以上のベルト押圧用フリーローラとで構成されている形態、さらには、合成樹脂製コンベヤベルトの伸縮変動を可変調整する棒状の重錘が左右一対の支持アームに着脱自在に取り付けられている形態、合成樹脂製コンベヤベルトの伸縮変動を可変調整する円盤状の重錘が支持軸の軸端に着脱自在に取り付けられている形態、さらには、支持アームを伸縮自在としてモーメント力が調整自在になっている形態、あるいは、これらを組み合わせた如何なる形態であっても良い。
【００２５】
さらに、前述したベルト押圧用フリーローラの取り付け個数あるいは取り付け位置については、合成樹脂製コンベヤベルトの伸縮変動に応じて任意に選択できることは言うまでもない。また、棒状あるいは円盤状の重錘の取り付け個数についても、合成樹脂製コンベヤベルトの伸縮変動に応じて任意に選択できることは言うまでもない。
【実施例】
【００２６】
以下、本発明の実施例であるフリーザ仕様コンベヤ装置１００を図１乃至図３に基づいて説明する。
ここで、図１は、本発明の一実施例であるフリーザ仕様コンベヤ装置の概略図であり、図２は、図１に示すベルト伸縮調整手段の拡大図であり、図３は、合成樹脂製コンベヤベルトの内周側から見たベルト伸縮調整手段の構成図であり、図４は、図１に示すフリーザ仕様コンベヤ装置の保守メンテナンス時の概略図である。
そして、図５は、本発明の第２実施例で用いたベルト伸縮調整手段の説明図であり、図６は、本発明の第３実施例で用いたベルト伸縮調整手段の説明図である。
【００２７】
まず、本発明の第１実施例であるフリーザ仕様コンベヤ装置１００は、図１乃至図３に示すように、冷凍食品製造分野で用いるコンベヤ装置であって、冷凍食品となる被加工物品Ｍを搭載した状態で常温領域ＮＡとフリーザ領域ＦＡとの間で垂直曲がり面内を連続的に循環して搬送する合成樹脂製コンベヤベルト１１０と前記常温領域ＮＡに配置して合成樹脂製コンベヤベルト１１０を循環走行させる駆動リターンローラ１２１を設けた駆動軸１２０と従動リターンローラ１３１を設けた従動軸１３０とを備えている。
【００２８】
そして、図２乃至図３に示すように、前述した合成樹脂製コンベヤベルト１１０のベルト伸縮を調整するベルト伸縮調整手段１４０が、コンベヤ搬出側の常温領域ＮＡに配置されて７個の従動側リターンローラ１３１を取り付けた従動軸１３０を支点として揺動自在に一体に設けられている。
これにより、駆動軸１２０に取り付けられて駆動源から動力伝達される駆動スプロケット（図示せず）や従動軸１３０に取り付けられた従動スプロケット（図示せず）の円滑な噛み合いと駆動軸１２０に取り付けられた駆動側リターンローラ１２１と従動軸１３０に取り付けられた従動側リターンローラ１３１との間で安定したベルト張力を確保するとともに、従動軸１３０を配置した常温領域ＮＡで合成樹脂製コンベヤベルト１１０のベルト伸縮変動を調整している。
なお、図１に示す符号１５０は、合成樹脂製コンベヤベルト１１０を円滑に走行案内させるアイドラーホィールである。
【００２９】
そこで、本実施例のフリーザ仕様コンベヤ装置１００が最も特徴とするベルト伸縮調整手段１４０の具体的な構成について、図２乃至図３に基づいて以下に詳しく説明する。
【００３０】
すなわち、前述したベルト伸縮調整手段１４０は、従動軸１３０の両端に揺動自在に軸支した左右一対の支持アーム１４１とこれら左右一対の支持アーム１４１の先端に両端支持した架設状態の支持軸１４２とこの支持軸１４２に回転自在に嵌挿されて合成樹脂製コンベヤベルト１１０の内周面を押圧負荷する７個のベルト押圧用フリーローラ１４３とで構成されている。
なお、図３に示すように、７個の従動側リターンローラ１３１および７個のベルト押圧用フリーローラ１４３のうち、合成樹脂製コンベヤベルト１１０の両端部に位置するものは、合成樹脂製コンベヤベルト１１０の蛇行を規制防止するために、それぞれフランジ付きリターンローラあるいはフランジ付きフリーローラとなっている。
これにより、左右一対の支持アーム１４１と支持軸１４２と７個のベルト押圧用フリーローラ１４３との総重量で合成樹脂製コンベヤベルト１１０の内周面を外周側に向けて押圧負荷している。
【００３１】
また、図示しないが、前述したベルト押圧用フリーローラ１４３を支持軸１４２に抱持状態で取り付ける二分割可能なローラ部材により構成した場合には、保守メンテナンス時などにベルト押圧用フリーローラ１４３を支持軸１４２に対して抜き差しせずに取り付けることが可能になるようにしても構わない。
この場合には、ベルト押圧用フリーローラ１４３の簡便な取り外しにより合成樹脂製コンベヤベルト１１０の伸縮変動を可変自在に調整することができる。
【００３２】
このようにして得られた本実施例のフリーザ仕様コンベヤ装置１００は、被加工物品Ｍを常温領域ＮＡとフリーザ領域ＦＡとの間で連続して搬送する合成樹脂製コンベヤベルト１１０と前記常温領域ＮＡに配置した駆動軸１２０と従動軸１３０とを備えるとともに、合成樹脂製コンベヤベルト１１０のベルト伸縮を調整するベルト伸縮調整手段１４０を従動軸１３０のスプロケット軸１３１を支点として揺動自在に一体に設けていることにより、従来のように被加工物品を常温領域の合成樹脂製コンベヤベルトからフリーザ領域の合成樹脂製コンベヤベルトに移し替えて搬送する必要もなく、搬送加工を常温領域ＮＡとフリーザ領域ＦＡとの間で連続搬送しながら実現して優れた耐久性を発揮することができる。
【００３３】
また、このようなベルト伸縮調整手段１４０によれば、図４に示すような合成樹脂製コンベヤベルト１１０を保守メンテナンスする際に装置全体をメンテナンス作業の容易な常温に戻したり、フリーザ温度に復帰させたりするフリーザ領域ＦＡの温度変化に伴う合成樹脂製コンベヤベルト１１０のベルト伸縮変動を簡便に調整することができ、しかも、メンテナンス作業をフリーザ温度に維持した状態のフリーザ領域ＦＡで実施する必要がなく、簡便に達成することができる。
【００３４】
そして、ベルト伸縮調整手段１４０が、従動軸１３０のスプロケット軸１３１の両端に揺動自在に軸支した左右一対の支持アーム１４１とこれら左右一対の支持アーム１４１の先端に両端支持した架設状態の支持軸１４２とこの支持軸１４２に回転自在に嵌挿されて合成樹脂製コンベヤベルト１１０の内周面を外周側に向けて押圧負荷する７個のベルト押圧用フリーローラ１４３とで構成されていることにより、従来のコンベヤ装置に付設されるテイクアップ手段のような複雑な装置構成や設置スペースを必要とすることなく、合成樹脂製コンベヤベルト１１０の伸縮変動をフリーザ領域ＦＡの冷却温度に応じて簡便な装置機構により調整することができるなど、その効果は甚大である。
【００３５】
つぎに、本発明の第２実施例であるフリーザ仕様コンベヤ装置２００について、図５に基づいて説明する。
ここで、本発明の第２実施例であるフリーザ仕様コンベヤ装置２００におけるベルト伸縮調整手段２４０の具体的な構成を除く基本的な装置構成については、前述した第１実施例のフリーザ仕様コンベヤ装置１００と全く同じであるため、第１実施例のフリーザ仕様コンベヤ装置１００に関する明細書、および、図１乃至図４に示す１００番台の符号を２００番台の符号に読み替えることによって、ベルト伸縮調整手段２４０の具体的な構成を除く基本的な装置構成については、その説明を省略する。
【００３６】
そこで、本実施例のフリーザ仕様コンベヤ装置２００が最も特徴とするベルト伸縮調整手段２４０の具体的な構成について図５により詳しく説明する。
【００３７】
すなわち、第２実施例のフリーザ仕様コンベヤ装置２００におけるベルト伸縮調整手段２４０は、従動軸２３０の両端に揺動自在に軸支した左右一対の支持アーム２４１とこれら左右一対の支持アーム２４１の先端に両端支持した架設状態の支持軸２４２とこの支持軸２４２に回転自在に嵌挿されて合成樹脂製コンベヤベルト２１０の内周面を押圧負荷する７個のベルト押圧用フリーローラ２４３と前述した左右一対の支持アーム２４１に着脱自在に取り付けて合成樹脂製コンベヤベルト２１０の伸縮変動を可変調整する棒状の重錘２４４とで構成されている。
これにより、左右一対の支持アーム２４１と支持軸２４２とベルト押圧用フリーローラ２４３と重錘２４４との総重量で合成樹脂製コンベヤベルト２１０の内周面を外周側に向けて調整自在に押圧負荷している。
【００３８】
このようにして得られた第２実施例のフリーザ仕様コンベヤ装置２００は、前述した第１実施例のフリーザ仕様コンベヤ装置１００が奏する搬送加工を常温領域ＮＡとフリーザ領域ＦＡとの間で連続搬送しながら実現して優れた耐久性を発揮し、合成樹脂製コンベヤベルト２１０を保守メンテナンスする際に装置全体をメンテナンス作業の容易な常温に戻したり、メンテナンス作業の苛酷なフリーザ領域ＦＡで実施する必要がなく、簡便に達成するという効果に加えて、ベルト伸縮調整手段２４０が左右一対の支持アーム２４１と支持軸２４２と７個のベルト押圧用フリーローラ２４３と重錘２４４とで構成されていることにより、重錘２４４の増加分だけ増大させた支持アーム２４１の回動モーメントが常温領域ＮＡにおいて合成樹脂製コンベヤベルト２１０の内周面を外周側に向けて押圧負荷されるため、合成樹脂製コンベヤベルト２１０のベルト伸縮変動を調整する際の保守メンテナンスをコンベヤフレームをコンベヤ幅方向に拡幅するなどの格別の改造を要することなく簡便に達成するとともに、常温領域ＮＡにおいてフリーザ領域ＦＡの冷却温度に応じたベルト張力に簡便かつ自在に設定することができるなど、その効果は甚大である。
【００３９】
つぎに、本発明の第３実施例であるフリーザ仕様コンベヤ装置３００について、図６に基づいて説明する。
ここで、本発明の第３実施例であるフリーザ仕様コンベヤ装置３００におけるベルト伸縮調整手段３４０の具体的な構成を除く基本的な装置構成については、前述した第１実施例のフリーザ仕様コンベヤ装置１００と全く同じであるため、第１実施例のフリーザ仕様コンベヤ装置１００に関する明細書、および、図１乃至図４に示す１００番台の符号を３００番台の符号に読み替えることによって、ベルト伸縮調整手段３４０の具体的な構成を除く基本的な装置構成については、その説明を省略する。
【００４０】
そこで、本実施例のフリーザ仕様コンベヤ装置３００が最も特徴とするベルト伸縮調整手段３４０の具体的な構成について図６により詳しく説明する。
【００４１】
すなわち、第３実施例のフリーザ仕様コンベヤ装置３００におけるベルト伸縮調整手段３４０は、従動軸３３０の両端に揺動自在に軸支した左右一対の支持アーム３４１とこれら左右一対の支持アーム３４１の先端に両端支持した架設状態の支持軸３４２とこの支持軸３４２に回転自在に嵌挿されて合成樹脂製コンベヤベルト３１０の内周面を押圧負荷する７個のベルト押圧用フリーローラ３４３と前述した支持軸３４２の軸端に着脱自在に取り付けて合成樹脂製コンベヤベルト３１０の伸縮変動を可変調整する円盤状の重錘３４４とで構成されている。
これにより、左右一対の支持アーム２４１と支持軸３４２と７個のベルト押圧用フリーローラ３４３と重錘３４４との総重量で合成樹脂製コンベヤベルト３１０の内周面を外周側に向けて調整自在に押圧負荷している。
【００４２】
このようにして得られた第３実施例のフリーザ仕様コンベヤ装置３００は、前述した第１実施例のフリーザ仕様コンベヤ装置１００が奏する搬送加工を常温領域ＮＡとフリーザ領域ＦＡとの間で連続搬送しながら実現して優れた耐久性を発揮し、合成樹脂製コンベヤベルト３１０を保守メンテナンスする際に装置全体をメンテナンス作業の容易な常温に戻したり、メンテナンス作業の苛酷なフリーザ領域ＦＡで実施する必要がなく、簡便に達成するという効果に加えて、ベルト伸縮調整手段３４０が左右一対の支持アーム３４１と支持軸３４２と７個のベルト押圧用フリーローラ３４３と円盤状の重錘３４４とで構成されていることにより、重錘３４４の増加分だけ増大させた支持アーム３４１の回動モーメントが常温領域ＮＡにおいて合成樹脂製コンベヤベルト３１０の内周面を外周側に向けて押圧負荷されるため、合成樹脂製コンベヤベルト３１０のベルト伸縮変動を調整する際の保守メンテナンスをコンベヤフレームをコンベヤ幅方向に拡幅するなどの格別の改造を要することなく簡便に達成するとともに、常温領域ＮＡにおいてフリーザ領域ＦＡの冷却温度に応じたベルト張力に簡便かつ自在に設定することができるなど、その効果は甚大である。
【符号の説明】
【００４３】
１００，２００，３００  ・・・  フリーザ仕様コンベヤ装置
１１０，２１０，３１０  ・・・  合成樹脂製コンベヤベルト
１２０，２２０，３２０  ・・・  駆動軸
１２１，２２１，３２１  ・・・  駆動リターンローラ
１３０，２３０，３３０  ・・・  従動軸
１３１，２３１，３３１  ・・・  従動リターンローラ
１４０，２４０，３４０  ・・・  ベルト伸縮調整手段
１４１，２４１，３４１  ・・・  支持アーム
１４２，２４２，３４２  ・・・  支持軸
１４３，２４３，３４３  ・・・  ベルト押圧用フリーローラ
２４４，３４４  ・・・  重錘
１５０，２５０，３５０  ・・・  アイドラローラ
Ｍ  ・・・  被加工物品
ＮＡ  ・・・  常温領域
ＦＡ  ・・・  フリーザ領域
【図１】
2011111281.tif 000003
【図２】
2011111281.tif 000004
【図３】
2011111281.tif 000005
【図４】
2011111281.tif 000006
【図５】
2011111281.tif 000007
【図６】
2011111281.tif 000008